(57)【要約】【課題】  エレベータのかご１の出入口２０に対向する側面２１に鏡を備えたエレベータのかご１において、かご１内の乗客が、鏡を通してかご１内及び乗場８を見渡しやすくすること。【解決手段】  前記鏡として、出入口２０の間口方向と平行に設置された中央鏡２２と、中央鏡２２の左右に中央鏡２２に対してかご１の中心側に向くように傾斜して設置された右鏡２３、左鏡２４を配置した。これにより、鏡２２，２３，２４が三面鏡のように配置されるため、かご１内及び乗場８が見渡しやすくなる。【選択図】      図１
2008162794.tif 000002
【特許請求の範囲】
【請求項１】
エレベータのかごの出入口に対向する側面に鏡を備えたエレベータのかごにおいて、前記鏡は前記出入口の間口方向と平行に設置された中央鏡と、前記中央鏡の左右の少なくとも一方に前記中央鏡に対してかごの中心側に向くように傾斜して設置された左右鏡であることを特徴とするエレベータのかご。
【請求項２】
エレベータのかごの出入口に対向する側面に鏡を備えたエレベータのかごにおいて、前記側面は中央側板とその左右の少なくとも一方に配置された左右側板からなり、前記中央側板は前記出入口の間口方向と平行に配置され、前記左右側板は前記中央側板に対してかごの中心側に向くように傾斜して配置され、前記中央側板及び左右側板にはそれぞれ平面鏡が設けられていることを特徴とするエレベータのかご。
【請求項３】
エレベータのかごの出入口に対向する側面に鏡を備えたエレベータのかごにおいて、前記側面は中央側板とその左右の少なくとも一方に配置された左右側板からなり、前記中央側板は前記出入口の間口方向と平行に配置され、前記左右側板は前記中央側板に対してかごの中心側に向くように傾斜して配置され、前記中央側板及び左右側板はそれぞれ鏡面となっていることを特徴とするエレベータのかご。
【請求項４】
エレベータのかごの出入口に対向する側板に鏡を備えたエレベータのかごにおいて、前記側板は横断面においてかご内側に突出した凸状をなす鏡を備えていることを特徴とするエレベータのかご。
【請求項５】
エレベータのかごの出入口に対向する側面に鏡を備えたエレベータのかごにおいて、前記側面は、横断面においてかご内側に突出した凸状をなす鏡面仕上げの側板であることを特徴とするエレベータのかご。
【発明の詳細な説明】
【技術分野】
【０００１】
本発明は、エレベータのかごに係り、特にかごに鏡を備えたエレベータのかごに関するものである。
【背景技術】
【０００２】
図４は、従来の鏡付エレベータのかごを示す図である（特許文献１参照）。図において１はかごであり、側板２，天井３，照明器具４，かご位置表示灯５，床６，かご１の出入口を開閉するかご戸７を有している。８は乗場，９は乗場出入口を開閉する乗場戸である。
１０はかご１の出入口に対向する側板２に設置された平面鏡であり、照明器具４の照明が写り込まず、且つ足元はよく写るように下方に若干傾斜して設けられている。このように設置することにより、平面鏡１０を小型化することができる。また図４では側板２を傾斜させて平面鏡１０を設置しているが、側板２を垂直に設置し、この側板に平面鏡１０を傾斜して設置することもできる。
【０００３】
このエレベータに車椅子１１に乗った乗客１２が乗り込んで、平面鏡１０を見るだけで、乗場８や床６の障害物１３や、かご１と乗場８との隙間１４も確認することができる。
【０００４】
【特許文献１】特開昭５０−３７１４６号公報
【発明の開示】
【発明が解決しようとする課題】
【０００５】
前記の従来例では、平面鏡１０が小型であるため、乗客１２の乗車位置によっては、乗客１２の後方（かご１の出入口側、乗場８側）が見にくいという問題がある。また平面鏡１０をもっと大型化することも考えられるが、かご１内及び乗場８の見渡しやすさには限度があった。
【課題を解決するための手段】
【０００６】
本発明は、エレベータのかごの出入口に対向する側面に鏡を備えたエレベータのかごにおいて、前記鏡は前記出入口の間口方向と平行に設置された中央鏡と、前記中央鏡の左右に前記中央鏡に対してかごの中心側に向くように傾斜して設置された左右鏡としたものである。
また、エレベータのかごの出入口に対向する側面に鏡を備えたエレベータのかごにおいて、前記側面は中央側板とその左右に配置された左右側板からなり、前記中央側板は前記出入口の間口方向と平行に配置され、前記左右側板は前記中央側板に対してかごの中心側に向くように傾斜して配置され、前記中央側板及び左右側板にはそれぞれ平面鏡が設けられたものである。
更に、エレベータのかごの出入口に対向する側面に鏡を備えたエレベータのかごにおいて、前記側面は中央側板とその左右に配置された左右側板からなり、前記中央側板は前記出入口の間口方向と平行に配置され、前記左右側板は前記中央側板に対してかごの中心側に向くように傾斜して配置され、前記中央側板及び左右側板はそれぞれ鏡面となっているものである。
【０００７】
また本発明は、  エレベータのかごの出入口に対向する側板に鏡を備えたエレベータのかごにおいて、前記側板は横断面においてかご内側に突出した凸状をなす鏡を備えているものである。
更に、  エレベータのかごの出入口に対向する側面に鏡を備えたエレベータのかごにおいて、前記側面は、横断面においてかご内側に突出した凸状をなす鏡面仕上げの側板としたものである。
【発明の効果】
【０００８】
本発明によれば、三面鏡のように、又は凸面鏡状に鏡が配置されているため、かご内及び乗場が見渡し易くなる。
【発明を実施するための最良の形態】
【０００９】
本発明の実施の形態を図１により説明する。図１はかごの横断面図であり、かご１の出入口２０に対向する側面２１に、出入口２０の間口方向と平行に中央鏡２２を設置し、その左右に中央鏡２２に対してかご１の中心側に向くように傾斜して右鏡２３，左鏡２４を配置したものである。
この実施の形態によれば、３つの鏡２２，２３，２４が三面鏡となっているため、かご１内及び乗場を見通しやすくなる。
【００１０】
図２は本発明の他の実施の形態を示す図であり、かご１の出入口２０に対向する側面を、、出入口２０の間口方向と平行に配置された中央側板３０と、中央側板３０に対してかごの中心側に向くように傾斜して配置された右側板３１、左側板３２から構成し、各側板３０〜３２にそれぞれ平面鏡３０ａ〜３２ａを設けたものである。
この実施の形態においても、図１の場合と同様に、３つの鏡３０ａ〜３２ａが三面鏡となっているため、かご１内及び乗場を見通しやすくなる。
更に、本実施の形態において、平面鏡３０ａ〜３２ａを設ける代わりに、各側板３０〜３２のかご１内側を鏡面仕上げとしてもよい。
【００１１】
図３は本発明の他の実施の形態を示す図であり、かご１の出入口２０に対向する側面４０に、かご１の横断面においてかご１内側に突出した凸状をなす鏡４１を設けたものである。
この実施の形態によれば、凸面鏡４１によってかご１内及び乗場を見通しやすくなる。
更に、この実施の形態において、凸面鏡４１を設ける代わりに、側面４０の中央部又は全部をかご１の横断面においてかご１内側に突出した凸状をなす形状として鏡面仕上げにすることもできる。
【００１２】
前記の各実施の形態においては、かご戸７は中央両開きとなっているが、片開きのエレベータであっても本発明を適用することができる。
更に、図１，２の実施の形態においては、中央鏡の両側に左右鏡を設けているが、少なくとも一方の側に設けることも可能である。
【図面の簡単な説明】
【００１３】
【図１】本発明の実施の形態を示すかごの横断面図である。
【図２】本発明の他の実施の形態を示すかごの横断面図である。
【図３】本発明の他の実施の形態を示すかごの横断面図である。
【図４】従来の従来の鏡付エレベータのかごを示す図である。
【符号の説明】
【００１４】
１  かご
２，３０，３１，３２  側板
７  かご戸
１０，２２，２３，２４，３０ａ，３１ａ，３２ａ  鏡
２０  出入口
２１  かごの出入口に対向する側面
４１  凸面鏡
【図１】
2008162794.tif 000003
【図２】
2008162794.tif 000004
【図３】
2008162794.tif 000005
【図４】
2008162794.tif 000006